(57)【要約】【課題】加熱コイルにより誘導加熱する炊飯器において、ループ線の位置がずれたと判断されたとき炊飯器への電力供給を制御することで、炊飯器近傍への漏れ磁界レベルを少なくし、炊飯器本体または炊飯器本体の外部にある物体の温度上昇を抑える。【解決手段】炊飯器本体内に鍋２を着脱自在に収納し、この鍋２を鍋加熱部３により加熱し、鍋２の開口部を磁性体製の加熱板５で覆い、この加熱板５を加熱コイル６により誘導加熱し、この加熱コイル６に電力を供給するインバータ回路１３の電力供給量を制御手段１１により制御する。加熱コイル６の外側に少なくとも１本の導電性のループ線を配設し、このループ線の位置がずれたことを位置ずれ検知部１７により検出する。制御手段１１は、位置ずれ検知部１７がループ線の位置ずれを検出すると、加熱コイル６への電力供給量を抑制するようにインバータ回路１３を制御するよう構成する。【選択図】図１
2005168552.tif 000002
【特許請求の範囲】
【請求項１】
炊飯器本体と、この炊飯器本体内に着脱自在に収納される鍋と、この鍋を加熱する鍋加熱部と、前記鍋の開口部を覆う磁性体製の加熱板と、前記加熱板を誘導加熱する加熱コイルと、この加熱コイルに電力を供給する電力供給手段と、この電力供給手段の電力供給量を制御する制御手段と、前記加熱コイルの外側に配設した少なくとも１本の導電性のループ線と、このループ線の位置がずれたことを検出する位置ずれ検知部とを備え、前記制御手段は、前記位置ずれ検知部がループ線の位置ずれを検出すると、加熱コイルへの電力供給量を抑制するように前記電力供給手段を制御するよう構成した炊飯器。
【請求項２】
制御手段は、位置ずれ検知部がループ線の位置がずれたと検出すると、加熱コイルへの電力供給を停止するように電力供給手段を制御するよう構成した請求項１記載の炊飯器。
【請求項３】
位置ずれ検知部は、加熱コイルに流れる電流を検知するコイル電流検知手段を有し、コイル電流があらかじめ設定された正常条件値の範囲外にあるとき、位置がずれたと判断するようにした請求項１または２記載の炊飯器。
【請求項４】
位置ずれ検知部は、電力供給手段の周波数を検知する周波数検知手段を有し、周波数があらかじめ設定されている正常条件値の範囲外にあるとき、位置がずれたと判断するようにした請求項１または２記載の炊飯器。
【請求項５】
制御手段は、位置ずれ検知部がループ線の位置がずれたと判断し、加熱コイルへの電力供給を抑制または停止するようにした場合に、一定時間経過後に再度所定の電力を供給し、そのときコイル電流が正常条件値の範囲内にあれば、そのまま電力の供給を継続するよう電力供給手段へ指示するようにした請求項１〜４のいずれか１項に記載の炊飯器。
【請求項６】
報知動作をする報知手段を備え、位置ずれ検知部がループ線の位置がずれたと判断したとき、その旨を報知するようにした請求項１〜５のいずれか１項に記載の炊飯器。
【請求項７】
表示動作をする表示手段を備え、位置ずれ検知部がループ線の位置がずれたと判断したとき、その旨を表示するようにした請求項１〜５のいずれか１項に記載の炊飯器。
【発明の詳細な説明】
【技術分野】
【０００１】
本発明は、加熱コイルにより誘導加熱する炊飯器に関するものである。
【背景技術】
【０００２】
従来、この種の炊飯器は、炊飯器の外部に漏れる磁界（磁束）を低減し、加熱コイルの外側に漏れた磁束によって、炊飯器本体または炊飯器本体の外部にある部材の温度が上昇するのを防止しており、図７に示すように構成していた。以下、その構成について説明する。
【０００３】
図７に示すように、炊飯器本体３１は、上面が開口するほぼ円筒状で、蓋３２により開閉自在に覆われている。炊飯器本体３１の内部には鍋３３を着脱自在に収納している。この鍋３３はステンレス、鉄などの磁性体によって形成している。保護枠３４は、鍋３３の収納部であり、非金属材料により有底円筒状に形成している。保護枠３４の外側には鍋３３を誘導加熱する加熱コイル３５を配設している。加熱コイル３５は、保護枠３４の底面外側に配設した内コイル３６と、その外周上に配設した外コイル３７とで構成している。さらに、加熱コイル３５の外方にはフェライト３８を配設している。制御装置４０は加熱コイル３５に高周波電力を供給するものであり、加熱コイル３５の外周側方に設けている導電材料製（例えば、アルミニウム製）の防磁板４１を有している（例えば、特許文献１参照）。
【特許文献１】特公平４−３６００９号公報
【発明の開示】
【発明が解決しようとする課題】
【０００４】
しかしながら、このような従来の構成では、幅広で円筒状のアルミニウム製の防磁板４１を内蔵するため、鍋３３に対する炊飯器本体３１の大きさが大きく、持ち運びおよび設置性が悪いという問題があった。
【０００５】
また、防磁板４１は、制御装置４０の配置や炊飯器本体３１の大きさによっては配置できない場合があった。さらに炊飯器の種類や容量によって防磁板４１の形状を変化させる必要があり、防磁板４１を共用できなかった。
【０００６】
しかし、この第１の課題は、防磁板４１に変えて、加熱コイルの外側に少なくとも１本の導電性のループ線を配設することにより解決する。すなわち、ループ線には、ループ線およびループ線近傍の磁界を打ち消すような磁界を発生する電流が流れるので、炊飯器の外部に漏れる磁界（磁束）を効果的に低減できるから、僅かなスペースに設置でき、炊飯器本体の筺体の形状の自由度をほとんど制約せず、従来例のアルミニウム製の防磁板４１とほぼ同等の防磁効果を有し、炊飯器本体または炊飯器本体の外部にある物体の温度上昇を抑えることができ、また、小型で安価な炊飯器を実現できるので、持ち運びが容易で設置性が良い炊飯器を実現することができる。
【０００７】
しかしながら、上記の構成にした場合、新たに第２の課題が生じる。炊飯器の輸送中や、台所から食卓までの持ち運び中に、誤って落下させると、炊飯器には、なんらかの衝撃が加わることによってループ線の位置がずれる恐れがある。そのような状態のまま動作をつづけると、防磁効果が失われ、炊飯器近傍への漏れ磁界のレベルが高くなり、炊飯器本体または炊飯器本体の外部にある物体の温度上昇を抑えることができなくなるという問題を有していた。
【０００８】
本発明は上記従来の課題を解決するもので、ループ線の位置がずれたと判断されたとき炊飯器への電力供給を抑制することで、炊飯器近傍への漏れ磁界レベルを少なくし、炊飯器本体または炊飯器本体の外部にある物体の温度上昇を抑え、安全で信頼性の高い炊飯器を提供することを目的としている。
【課題を解決するための手段】
【０００９】
本発明は上記目的を達成するために、炊飯器本体内に鍋を着脱自在に収納し、この鍋を鍋加熱部により加熱し、鍋の開口部を磁性体製の加熱板で覆い、この加熱板を加熱コイルにより誘導加熱し、この加熱コイルに電力を供給する電力供給手段の電力供給量を制御手段により制御し、加熱コイルの外側に少なくとも１本の導電性のループ線を配設し、このループ線の位置がずれたことを位置ずれ検知部により検出するよう構成し、制御手段は、位置ずれ検知部がループ線の位置ずれを検出すると、加熱コイルへの電力供給量を抑制するように電力供給手段を制御するよう構成したものである。
【００１０】
これにより、ループ線の位置がずれるなどの異常が発生した場合、加熱コイルへの電力供給を抑制することで、炊飯器近傍への漏れ磁界をある一定以下にすることができ、炊飯器本体または炊飯器本体の外部にある物体の温度上昇を抑えることができ、安全で信頼性の高い炊飯器を提供することができる。
【発明の効果】
【００１１】
本発明の炊飯器は、炊飯器近傍への漏れ磁界をある一定以下にし、炊飯器本体または炊飯器本体の外部にある物体の温度上昇を抑えることができる。
【発明を実施するための最良の形態】
【００１２】
第１の発明は、炊飯器本体と、この炊飯器本体内に着脱自在に収納される鍋と、この鍋を加熱する鍋加熱部と、前記鍋の開口部を覆う磁性体製の加熱板と、前記加熱板を誘導加熱する加熱コイルと、この加熱コイルに電力を供給する電力供給手段と、この電力供給手段の電力供給量を制御する制御手段と、前記加熱コイルの外側に配設した少なくとも１本の導電性のループ線と、このループ線の位置がずれたことを検出する位置ずれ検知部とを備え、前記制御手段は、前記位置ずれ検知部がループ線の位置ずれを検出すると、加熱コイルへの電力供給量を抑制するように前記電力供給手段を制御するよう構成したものであり、ループ線の位置がずれるなどの異常が発生した場合に、加熱コイルへの電力供給量を抑制することで、炊飯器近傍への漏れ磁界をある一定以下にでき、炊飯器本体または炊飯器本体の外部にある物体の温度上昇を抑えることができ、安全で信頼性の高い炊飯器を提供することができる。
【００１３】
第２の発明は、上記第１の発明において、制御手段は、位置ずれ検知部がループ線の位置がずれたと検出すると、加熱コイルへの電力供給を停止するように電力供給手段を制御するよう構成したものであり、ループ線の位置がずれるなどの異常が発生した場合に、加熱コイルへの電力供給を停止することで、炊飯器近傍への漏れ磁界をなくすることができ、炊飯器本体または炊飯器本体の外部にある物体の温度上昇を抑え、さらに安全で信頼性の高い炊飯器を提供することができる。
【００１４】
第３の発明は、上記第１または第２の発明において、位置ずれ検知部は、加熱コイルに流れる電流を検知するコイル電流検知手段を有し、コイル電流があらかじめ設定された正常条件値の範囲外にあるとき、位置がずれたと判断するようにしたものであり、ループ線の位置ずれを精度よく判断することができ、ループ線の位置がずれるなどの異常が発生した場合に、加熱コイルへの電力供給を抑制または停止することができ、炊飯器近傍への漏れ磁界をなくすることができて、炊飯器本体または炊飯器本体の外部にある物体の温度上昇を抑えることができ、より安全性の高い炊飯器を提供することができる。
【００１５】
第４の発明は、上記第１または第２の発明において、位置ずれ検知部は、電力供給手段の周波数を検知する周波数検知手段を有し、周波数があらかじめ設定されている正常条件値の範囲外にあるとき、位置がずれたと判断するようにしたものであり、ループ線の位置ずれを精度よく判断することができ、ループ線の位置がずれるなどの異常が発生した場合に、加熱コイルへの電力供給を抑制または停止することでき、炊飯器近傍への漏れ磁界をなくすることができて、炊飯器本体または炊飯器本体の外部にある物体の温度上昇を抑えることができ、より安全性の高い炊飯器を提供することができる。
【００１６】
第５の発明は、上記第１〜４のいずれか１つの発明において、制御手段は、位置ずれ検知部がループ線の位置がずれたと判断し、加熱コイルへの電力供給を抑制または停止するようにした場合に、一定時間経過後に再度所定の電力を供給し、そのときコイル電流が正常条件値の範囲内にあれば、そのまま電力の供給を継続するよう電力供給手段へ指示するようにしたものであり、ノイズなどによりコイル電流の誤検知を行い、炊飯を停止した場合でも、炊飯を再開させることができるため、異常は発生していないのに炊飯が停止またはその出力を抑制したままという事態を防ぐことができ、信頼性の高い運転を行うことができる。
【００１７】
第６の発明は、上記第１〜５のいずれか１つの発明において、報知動作をする報知手段を備え、位置ずれ検知部がループ線の位置がずれたと判断したとき、その旨を報知するようにしたものであり、ループ線に位置ずれの異常が発生した場合に、使用者へ異常が発生していることを速やかに知らせることができるため、使用者が異常に気づかないまま炊飯を継続することによって生じる故障やエネルギーの浪費を防ぐことができる。
【００１８】
第７の発明は、上記第１〜５のいずれか１つの発明において、表示動作をする表示手段を備え、位置ずれ検知部がループ線の位置がずれたと判断したとき、その旨を表示するようにしたものであり、ループ線に位置ずれの異常が発生した場合に、使用者へ異常が発生していることを速やかに知らせることができるため、使用者が異常に気づかないまま炊飯を継続することによって生じる故障やエネルギーの浪費を防ぐことができる。
【００１９】
以下、本発明の実施の形態について、図面を参照しながら説明する。なお、この実施の形態によって本発明が限定されるものではない。
【００２０】
（実施の形態１）
図１は、本発明の実施の形態１の炊飯器のブロック図を示し、図２は、本発明の実施の形態１の炊飯器の断面図を示すものである。
【００２１】
図２に示すように、炊飯器本体１は、鍋２を着脱自在に収納し、鍋２を鍋加熱部３により加熱する。蓋４は鍋２の上面を開閉自在に覆うもので、この蓋４には鍋２の開口部を覆う磁性体製の加熱板５を取り付け、蓋４内には加熱板５を誘導加熱する加熱コイル６を配設している。この加熱コイル６は、図１に示すように、インバータ回路（電力供給手段）１３から供給される高周波電流により交番磁界を発生し、この交番磁界で加熱板５を誘導加熱する。
【００２２】
ループ線７は１ターンの閉ループで、２本のループ線７を加熱コイル６の外周を覆うように配設している。鍋温度センサ８は鍋２の温度を検知するもので、サーミスタで構成し、その抵抗値により温度を検知するものである。また、蓋温度センサ９は加熱板５の温度を検知するもので、サーミスタで構成し、その抵抗値により温度を検知するものである。
【００２３】
制御装置１０は、図１に示すように構成しており、制御手段１１は、マイクロコンピュータ等で構成し、キー入力１２からの信号を入力すると、鍋温度センサ８と蓋温度センサ９からの出力データを入力し、炊飯シーケンスに基づいて、鍋加熱部３に駆動信号を出力して鍋２を加熱するとともに、インバータ回路１３に駆動信号を出力し加熱コイル６に高周波電流を供給して加熱板５を誘導加熱するよう構成している。
【００２４】
インバータ回路１３は入力電流検知手段１４を介して商用電源１５に接続している。制御手段１１は、入力電流検知手段１４からの信号により加熱板５を加熱する電力を検出し、所定の電力となるようにインバータ回路１３に出力する信号を変更するようにしている。コイル電流検知手段１６は、加熱コイル６に流れる電流を検知するもので、カレントトランスにより加熱コイル６を流れる電流をして電圧に変換し、位置ずれ検知部１７に信号を出力する。
【００２５】
ここで、制御手段１１は、位置ずれ検知部１７がループ線７の位置ずれを検出すると、加熱コイル６への電力供給量を抑制するようにインバータ回路１３を制御するよう構成している。また、位置ずれ検知部１７は、コイル電流検知手段１６からの入力値とあらかじめ記憶してある正常動作の条件値を比較し、その比較結果を制御手段１１へ出力し、制御手段１１はインバータ回路１３へ電力供給量を指示するようにしている。
【００２６】
また、制御手段１１は、炊飯中やコイル電流が異常かどうかを表示できる表示手段１８と、キー入力１２を受け付けたときや、コイル電流が異常と判断された場合に鳴動する報知手段１９を制御する。
【００２７】
上記構成において動作、作用を説明する。まず、鍋２に米と水を入れ、炊飯器本体１の所定の状態に収納する。使用者がキー入力１２を操作すると、制御手段１１は表示手段１８に炊飯中の表示をし、また、報知手段１９をあらかじめ設定された時間鳴動させ、炊飯を開始させる。
【００２８】
炊飯は鍋２の鍋温度センサ８および蓋温度センサ９によって、制御装置１０上に搭載した制御手段１１にあらかじめ設定されている炊飯シーケンスに基づいて、鍋加熱部３を駆動し鍋２を加熱する。さらに、インバータ回路１３に駆動信号を出力し加熱コイル６に高周波電流を供給して加熱板５を誘導加熱する。鍋２内部の水と米は、鍋加熱部３により鍋２の底部から加熱され、さらに上面から加熱板５により加熱されることで、鍋２底のみの加熱よりお米がふっくら炊ける。
【００２９】
加熱板５の加熱を行うときは、加熱コイル６にインバータ回路１３から高周波電流を供給することによって生じる交番磁界により誘導加熱するが、この加熱コイル６を流れる電流をコイル電流検知手段１６により検知し、商用電源１５からインバータ回路１３に供給される入力電力を入力電力検知手段１４により検知する。
【００３０】
図３は、商用電源１５からの入力電流とコイル電流の関係を示す図である。図３に示すように、インバータ回路１３は、入力電流が目標値Ａになるように制御する。このとき、入力電流の目標値Ａは制御手段１１から指示された値である。そして、入力電流が目標値Ａとなった時のコイル電流はβとなる。
【００３１】
つぎに、ループ線７の位置がずれた場合について説明する。ループ線７の１本の位置がずれると、ループ線７近傍の磁界を打ち消すような磁界を発生する電流が減少するため、加熱コイル６のインダクタンスは増加し、共振周波数は下がる。また、インバータ回路１３は入力電流が目標値Ａになるように制御し、加熱コイル６への電力供給量を一定にするため、図４のインバータ回路１３のスイッチング周波数と加熱コイル６の高周波抵抗の関係を示す図のように、スイッチング周波数がループ線７の位置がずれる前の周波数ＢからＣへ下がり、高周波抵抗はアからイに増加する。
【００３２】
そして、コイル電流は、加熱コイル６への電力供給量が一定で、高周波抵抗が増加したため、図３に示すように、ループ線７の位置ずれ前のβからαとなり、正常値に比べて減少することになる。そこで、位置ずれ検知部１７は、ループ線７が正常状態か位置ずれ状態かを判定するための条件値Ｉをあらかじめ設定しておき、その条件値と検知したコイル電流値の比較を行う。そのとき、検知したコイル電流値が条件値Ｉ以下であれば、位置ずれ状態であると判定する。
【００３３】
図５は、加熱コイル６への電力供給量と炊飯器本体１の外側に漏れる磁束の関係を示す図である。図５に示すように、ループ線７が位置ずれ状態と判定すると、炊飯器本体１の外側に漏れる磁束を基準のレベルγ以下にするため、制御手段１１は、加熱コイル６への電力供給を、電力供給量Ｄから電力供給量Ｅに抑制するように制御する。
【００３４】
以上のように、本実施の形態においては、加熱コイル６の外側に配設したループ線７の位置がずれたことを検出する位置ずれ検知部１７を備え、制御手段１１は、位置ずれ検知部１７がループ線７の位置ずれを検出すると、加熱コイル６への電力供給量を抑制するようにインバータ回路１３を制御するよう構成したので、ループ線７の位置がずれるなどの異常が発生した場合に、加熱コイル６への電力供給量を抑制することで、炊飯器近傍への漏れ磁界をある一定以下にでき、炊飯器本体１または炊飯器本体１の外部にある物体の温度上昇を抑えることができ、安全で信頼性の高い炊飯器を提供することができる。
【００３５】
また、位置ずれ検知部１７は、加熱コイル６を流れる電流を検知するコイル電流検知手段１６を有し、コイル電流があらかじめ設定された正常条件値の範囲外にあるとき、ループ線７の位置がずれたと判断するようにしたので、ループ線７の位置ずれを精度よく判断することができ、ループ線７の位置がずれるなどの異常が発生した場合に、加熱コイルへの電力供給を抑制または停止することができ、炊飯器近傍への漏れ磁界をなくすることができて、炊飯器本体１または炊飯器本体１の外部にある物体の温度上昇を抑えることができ、より安全性の高い炊飯器を提供することができる。
【００３６】
（実施の形態２）
図１に示す制御手段１１は、位置ずれ検知部１７がループ線７の位置がずれたと検出すると、加熱コイル６への電力供給を停止するように、インバータ回路１３を制御するよう構成している。他の構成は上記実施の形態１と同じである。
【００３７】
上記構成において動作、作用を説明する。まず、制御手段１１は、上記実施の形態１と同様にして加熱制御を行う。また、上記実施の形態１と同様にコイル電流の異常を判定する。このとき、異常状態であると判定されれば、制御手段１１は、加熱コイル６への電力供給を停止するようにインバータ回路１３へ信号を出力し、加熱板５の加熱を行わず、鍋２のみの加熱により炊飯を継続する。
【００３８】
以上のように、本実施の形態においては、制御手段１１は、位置ずれ検知部１７がループ線７の位置がずれたと判断すると、加熱コイル６への電力供給を停止するように、インバータ回路１３を制御するよう構成しているので、ループ線７の位置がずれるなどの異常が発生した場合に、加熱コイル６への電力供給を停止することができ、炊飯器近傍への漏れ磁界をなくし、炊飯器本体１または炊飯器本体１の外部にある物体の温度上昇をなくすことができ、さらに安全で信頼性の高い炊飯器を提供することができる。
【００３９】
（実施の形態３）
図６は、本発明の実施の形態３の炊飯器のブロック図を示すものである。
【００４０】
図６に示すように、周波数検知手段２０は、インバータ回路１３の周波数を検知するもので、オペアンプまたは論理回路等により、インバータ回路１３のスイッチング周波数を電圧に変換し位置ずれ検知部１７に信号を出力する。位置ずれ検知部１７は、周波数検知手段２０からの入力値とあらかじめ記憶してある正常動作の条件値を比較し、その比較結果を制御手段１１へ出力する。他の構成は上記実施の形態１と同じであり、同一符号を付して説明を省略する。
【００４１】
上記構成において動作、作用を説明する。まず、制御手段１１は、上記実施の形態１と同様にして加熱板５の加熱制御を行う。このようにインバータ回路１３を駆動して、加熱コイル６に高周波電流を供給し、加熱板５を加熱するときのインバータ回路１３のスイッチング周波数は、ループ線７の位置がずれると、図４に示すように周波数がＢからＣとなり、正常時に比べて低くなる。
【００４２】
そこで、位置ずれ検知部１７はループ線７が正常状態か位置ずれ状態かを判定するための条件値ＩＩＩをあらかじめ設定しておき、その条件値と検知した周波数値の比較を行う。そのとき、検知した周波数が条件値ＩＩＩ以下であれば、ループ線７が位置ずれ状態であると判定する。そして制御手段１１は、加熱コイル６への電力供給を抑制または停止するようにインバータ回路１３へ指示し、加熱を抑制または停止するように制御する。
【００４３】
以上のように、本実施の形態においては、位置ずれ検知部１７は、インバータ回路１３の周波数を検知する周波数検知手段２０を有し、周波数があらかじめ設定された正常条件値の範囲外にあるとき、位置ずれと判断するようにしたので、ループ線７の位置ずれを精度よく判断することができ、ループ線７の位置がずれるなどの異常が発生した場合に、加熱コイル６への電力供給を抑制または停止することができ、炊飯器近傍への漏れ磁界をなくすることができて、炊飯器本体１または炊飯器本体１の外部にある物体の温度上昇を抑えることができ、より安全性の高い炊飯器を提供することができる。
【００４４】
（実施の形態４）
図１に示す制御手段１１は、位置ずれ検知部１７がループ線７の位置がずれたと検出すると、加熱コイル６への電力供給を抑制または停止するようにした場合に、一定時間経過後に再度所定の電力を供給し、そのときコイル電流が正常条件値の範囲内にあれば、そのまま電力の供給を継続するようインバータ回路１３へ信号を出力するようにしている。他の構成は上記実施の形態１と同じである。
【００４５】
上記構成において動作、作用を説明する。まず、制御手段１１は、上記実施の形態１と同様にして加熱板５の加熱制御を行う。また、上記実施の形態１と同様に、ループ線７の位置ずれを判定する。このとき、位置ずれ状態であると判定されれば、制御手段１１は、加熱コイル６への電力供給を停止するようにインバータ回路１３へ信号を出力し、加熱を停止するように制御する。そして、一定時間経過後、再度所定の電力の供給を行い、ループ線７の位置ずれ判定を行う。そのとき、正常であると判定されれば、ループ線７の位置ずれがないと判断し、そのまま電力供給を継続するように制御する。
【００４６】
以上のように、本実施の形態においては、制御手段１１は、位置ずれ検知部１７からの出力によりループ線７の位置がずれていると判断し、加熱コイル６への電力供給を抑制または停止するようにした場合に、一定時間経過後に再度所定の電力を供給し、そのとき、コイル電流が正常条件値の範囲内にあれば、そのまま電力の供給を継続するようにインバータ回路１３へ信号を出力するようにしたので、ループ線７の位置ずれが発生していないのに、商用電源１５から機器に侵入する雷サージやインパルスノイズなどにより異常と判定した場合に、再度異常判定を行うことにより誤動作を防ぐことができ、より信頼性の高い炊飯器を提供することができる。
【００４７】
（実施の形態５）
図１に示す制御手段１１は、位置ずれ検知部１７がループ線７の位置がずれたと検出すると、その旨を報知手段１９により報知するようにしている。他の構成は上記実施の形態１と同じである。
【００４８】
上記構成において動作、作用を説明する。まず、制御手段１１は、上記実施の形態１と同様にして加熱板５の加熱制御を行う。また、上記実施の形態１と同様に、ループ線７の位置ずれを判定する。このとき、位置ずれ状態であると判定されれば、制御手段１１は、加熱コイル６への電力供給を停止するようにインバータ回路１３へ信号を出力し、加熱を停止するようにに制御するとともに、報知手段１９であるブザーに信号を出力して報知する。
【００４９】
以上のように、本実施の形態においては、制御手段１１は、位置ずれ検知部１７からの出力によりループ線７の位置がずれていると判断し、加熱コイル６への電力供給を抑制または停止するようにした場合に、使用者へ異常が発生していることを速やかに知らせることができるため、使用者が異常に気づかないまま炊飯を継続することによって生じる故障やエネルギーの浪費を防ぐことができる。
【００５０】
なお、本実施の形態では、報知手段１９にブザーを用いたが、これは使用者に異常が発生していることを聴覚的に知らせることができる構成であればよく、同様の作用効果を得ることができる。
【００５１】
（実施の形態６）
図１に示す制御手段１１は、位置ずれ検知部１７がループ線７の位置がずれたと検出すると、その旨を表示手段１８により表示するようにしている。他の構成は上記実施の形態１と同じである。
【００５２】
上記構成において動作、作用を説明する。まず、制御手段１１は、上記実施の形態１と同様にして加熱板５の加熱制御を行う。また、上記実施の形態１と同様に、ループ線７の位置ずれを判定する。このとき、位置ずれ状態であると判定されれば、制御手段１１は、加熱コイル６への電力供給を停止するようにインバータ回路１３へ信号を出力し、加熱を停止するようにに制御するとともに、表示手段２１であるＬＣＤに信号を出力して異常状態を表示する。
【００５３】
以上のように、本実施の形態においては、制御手段１１は、位置ずれ検知部１７からの出力によりループ線７の位置がずれていると判断し、加熱コイル６への電力供給を抑制または停止するようにした場合に、使用者へ異常が発生していることを速やかに知らせることができるため、使用者が異常に気づかないまま炊飯を継続することによって生じるやエネルギーの浪費を防ぐことができる。
【００５４】
なお、本実施の形態では、表示手段１８にＬＣＤを用いたが、使用者に異常が発生していることを視覚的に知らせることができる構成であればよく、同様の作用効果を得ることができる。
【産業上の利用可能性】
【００５５】
以上のように、本発明にかかる炊飯器は、炊飯器近傍への漏れ磁界をある一定以下にし、炊飯器本体または炊飯器本体の外部にある物体の温度上昇を抑えることができ、安全性で信頼性の高い炊飯器を提供することができるので、加熱コイルにより誘導加熱する炊飯器として有用である。
【図面の簡単な説明】
【００５６】
【図１】本発明の第１の実施の形態における炊飯器のブロック図
【図２】同炊飯器の断面図
【図３】同炊飯器の電源電流とコイル電流の関係を示す図
【図４】同炊飯器の周波数と加熱コイルの高周波抵抗の関係を示す図
【図５】同炊飯器の加熱コイルへの電力供給量と炊飯器本体の外側に漏れる磁束の関係を示す図
【図６】本発明の第３の実施の形態における炊飯器のブロック図
【図７】従来の炊飯器の断面図
【符号の説明】
【００５７】
１  炊飯器本体
２  鍋
３  鍋加熱部
５  加熱板
６  加熱コイル
７  ループ線
１１  制御手段
１３  インバータ回路（電力供給手段）
１７  位置ずれ検知部
【図１】
2005168552.tif 000003
【図２】
2005168552.tif 000004
【図３】
2005168552.tif 000005
【図４】
2005168552.tif 000006
【図５】
2005168552.tif 000007
【図６】
2005168552.tif 000008
【図７】
2005168552.tif 000009